(57)【特許請求の範囲】
【請求項１】
時間同期を可能にする情報を有する少なくとも１つのストリームを含むマルチプレクス信号を処理し、その間に上記マルチプレクス信号の一部の選択が行われ、上記選択は送信され、時間同期を可能にする情報を有する上記ストリームは上記選択に含まれない方法であって、
上記時間同期を可能にする情報を含む新しいストリームが作成され、上記新しいストリームが送信されることを特徴とする方法。
【請求項２】
時間同期を可能にする情報を含む上記ストリームは、識別コードを有し、上記新しいストリームは同じ識別コードが与えられることを特徴とする請求項１記載の方法。
【請求項３】
上記選択及び上記新しいストリームは、上記選択及び上記新しいストリームを第２のマルチプレクス信号に組合せ、上記第２のマルチプレクス信号を送信することによって送信されることを特徴とする請求項１又は２記載の方法。
【請求項４】
時間同期を可能にする情報を有する少なくとも１つのストリームを含むマルチプレクス信号を処理し、その間に上記マルチプレクス信号の一部の選択を行い、上記選択を送信するよう構成され、時間同期を可能にする情報を有する上記ストリームは上記選択に含まれない送信器であって、
上記時間同期を可能にする情報を含む新しいストリームを作成し、上記新しいストリームを送信するよう構成されることを特徴とする送信器。
【請求項５】
時間同期を可能にする情報を含む上記ストリームは、識別コードを有し、上記送信器は、上記新しいストリームに同じ識別コードを与えるよう構成されることを特徴とする請求項４記載の送信器。
【請求項６】
上記選択及び上記新しいストリームを第２のマルチプレクス信号に組合せ、上記第２のマルチプレクス信号を送信することによって、上記選択及び上記新しいストリームを送信するよう構成されることを特徴とする請求項４又は５記載の送信器。
【請求項７】
送信器及び受信器を含み、時間同期を可能にする情報がその中に含まれる少なくとも１つのストリームを含むマルチプレクス信号を処理し、上記送信器は、上記マルチプレクス信号の一部の選択を行い、上記選択を送信するよう構成され、時間同期を可能にする情報を有する上記ストリームは上記選択に含まれない伝送システムであって、
上記送信器は、上記時間同期を可能にする情報を含む新しいストリームを作成し、上記新しいストリームを送信するよう構成されることを特徴とする伝送システム。
【請求項８】
時間同期を可能にする情報を含む上記ストリームは、識別コードを有し、上記送信器は、上記新しいストリームに同じ識別コードを与えるよう構成されることを特徴とする請求項７記載の伝送システム。
【請求項９】
上記送信器は、上記選択及び上記新しいストリームを第２のマルチプレクス信号に組合せ、上記第２のマルチプレクス信号を送信することによって、上記選択及び上記新しいストリームを送信するよう構成されることを特徴とする請求項７又は８記載の伝送システム。
【発明の詳細な説明】
【０００１】
本発明は、時間同期を可能にする情報を有する少なくとも１つのストリームを含むマルチプレクス信号を処理し、その間にマルチプレクス信号の一部の選択が行われ、その選択は送信され、時間同期を可能にする情報を有するストリームは選択に含まれない方法に関する。
【０００２】
本発明は、更に、時間同期を可能にする情報を有する少なくとも１つのストリームを含むマルチプレクス信号を処理する送信器に係り、その間に送信器は、マルチプレクス信号の一部の選択を行い、その選択を送信するよう構成され、時間同期を可能にする情報を有するストリームは選択に含まれない。
【０００３】
本発明は、更に、送信器及び受信器を含み、時間同期を可能にする情報が含まれる少なくとも１つのストリームを含むマルチプレクス信号を処理する伝送システムに係り、送信器は、マルチプレクス信号の一部の選択を行い、その選択を送信するよう構成され、時間同期を可能にする情報を有するストリームは選択に含まれない。
【０００４】
ビデオ、オーディオ、及び他の信号が送信される場合、信号は一般的にＭＥＰＧ２規格に従って符号化される。送信されるべき信号は、いわゆるエレメンタリストリームに符号化される。これらのストリームは次に、送信の為に組み合わされ（多重化され）、従ってトランスポートストリームを形成する。トランスポートストリームはパケットによって形成される。パケットは、エレメンタリストリームの一部を含む場合があり、その場合、当該のエレメンタリストリームのプログラム識別子（ＰＩＤ）を有する。ＰＩＤに支援されて、エレメンタリストリームは各パケットから再構成され得る。パケットは更に、エレメンタリストリームについての情報、例えば、プログラムと、そのプログラムのオーディオ及びビデオ情報を有する関連のエレメンタリストリームとの間の関係、又は、例えば、エンタイトルメントマネジメント及びコントロールメッセージを有する情報セクションも含む場合がある。送信器は、トランスポートストリーム全体を受信器に送り、その次に受信器は、ＰＩＤに支援されてエレメンタリストリームを再構成し、情報セクションを読出しし、ユーザに所望される信号を再構成することが可能である。
【０００５】
エレメンタリストリームのうちの１つは、時間同期を可能にする情報を有する。ＭＥＰＧ２の場合、これは、プログラムクロックレファレンス（ＰＣＲ）である。この情報に支援されて、受信器は、全ての所望される信号がそれぞれの当該のエレメンタリストリームから同期的に再構成されることを供給することが可能となる。この情報は、時間同期の為にかなりの規則正しさで存在するべきであるので、この情報は、一般的にビデオストリームである最大のビットレートを有するエレメンタリストリームに通常は含まれる。
【０００６】
トランスポートストリームから全てのエレメンタリストリームではなく、一部分のみを送ることが好適である場合がある。その場合、送信器は、利用可能なエレメンタリストリームから選択を行い、従って部分的なトランスポートストリームを形成する。この選択は、時間同期を可能にする情報が中に含まれるエレメンタリストリームを常に含む必要はない。この情報を含むエレメンタリストリームを部分的なトランスポートストリームに含むことは、今のところはまだ慣例である。この技術では、送信されるストリームのコンテンツの小さい一部のみが必要であるのにも関わらず、大きい帯域幅が使用されるという欠点を有する。これは、帯域幅の無駄となる。
【０００７】
本発明は、帯域幅の節約が得られる冒頭部に記載されるような種類の方法を提供することを目的とする。
【０００８】
上記の目的は、時間同期を可能にする情報を含む新しいストリームが作成され、この新しいストリームが送信される本発明の方法によって達成される。時間同期を可能にする情報を含む現在のストリームを省くことが可能である。この方法の利点は、新しいストリームは、時間同期を可能にする情報を有するパケットのみを含むので、この新しいストリームは現在のストリームよりかなり小さいことである。一般的なビデオストリームは、６Ｍｂｉｔ／ｓの帯域幅を必要とするが、時間同期を可能にする情報のみを有する一般的なストリームは、毎秒１８８バイトのサイズを有するパケットの２０倍、即ち、０．０３００８０Ｍｂｉｔ／ｓのみを必要とする。本発明を適用することによって、５．９７Ｍｂｉｔ／ｓの節約をもたらすことが可能である。
【０００９】
方法の特定の実施例では、時間同期を可能にする情報を含むストリームは、識別コードを有し、新しいストリームには同じ識別コードが与えられる。
【００１０】
方法の特定の実施例では、選択及び新しいストリームは、それらを第２のマルチプレクス信号に組合せ、第２のマルチプレクス信号を送信することによって送信される。
【００１１】
本発明は更に、帯域幅の節約が可能にされる冒頭部に記載されるような種類の送信器を提供することを目的とする。
【００１２】
上記の目的は、時間同期を可能にする情報を含む新しいストリームを作成し、この新しいストリームを送信するよう構成される本発明の送信器によって達成される。
【００１３】
送信器の特定の実施例では、時間同期を可能にする情報を含むストリームは、識別コードを有し、送信器は、新しいストリームに同じ識別コードを与えるよう構成される。
【００１４】
送信器の特定の実施例では、送信器は、選択及び新しいストリームを第２のマルチプレクス信号に組合せ、その第２のマルチプレクス信号を送信することによって選択及び新しいストリームを送信するよう構成される。
【００１５】
本発明は更に、帯域幅の節約が可能にされる冒頭部に記載されるような種類の伝送システムを提供することを目的とする。
【００１６】
上記の目的は、送信器が、時間同期を可能にする情報を含む新しいストリームを作成し、その新しいストリームを送信するよう構成される本発明の伝送システムによって達成される。
【００１７】
伝送システムの特定の実施例では、時間同期を可能にする情報を含むストリームは、識別コードを有し、送信器は、新しいストリームに同じ識別コードを与えるよう構成される。
【００１８】
伝送システムの特定の実施例では、送信器は、選択及び新しいストリームを第２のマルチプレクス信号に組合せ、その第２のマルチプレクス信号を送信することによって選択及び新しいストリームを送信するよう構成される。
【００１９】
本発明の上記及び他の面は、図面を参照しより詳細に説明する。
【００２０】
図１には、送信器１０から受信器１２へのマルチプレクス信号１１を処理する伝送システムが示される。信号は、時間同期を可能にする情報を含む少なくとも１つのストリームを含む。図２の説明から明らかになるように、送信器１０は、マルチプレクス信号１１の一部の選択を行い、その選択を送信するよう構成され、時間同期を可能にする情報を含むストリームはその選択に含まれず、送信器１０は、時間同期を可能にする情報を含む新しいストリームを作成し、その新しいストリームを送信するよう構成される。
【００２１】
図２は、マルチプレクス信号２０を処理する送信器を示す。本発明において重要な構成要素のみが図示される。信号２０は、時間同期を可能にする情報を有する少なくとも１つのストリームを含む。図２の送信器では、ＭＰＥＧ２トランスポートストリームが想定され、トランスポートストリームにおける時間同期を可能にする情報とは、プログラムクロックレファレンス（ＰＣＲ）である。
【００２２】
図２に示される送信器は、例えば、イン・ホーム・ネットワーキング（In-Home-Networking）を有する住居ゲートウェイといった多くの形式で実現され得る。このゲートウェイは、他の場所からトランスポートストリームを受信し、それをテレビ受像機といった複数の受信器に搬送する。これらのテレビ受像機は一般的に、ローカルネットワークを介し送信器に接続される。
【００２３】
デマルチプレクサ２１は、提供されるトランスポートストリーム２０の一部の選択を行うよう構成される。その選択２２は、ＰＴＳ発生器２３に送られる。デマルチプレクサ２１は更に、トランスポートストリーム２０内に存在する、様々なストリーム等についての情報のテーブルを読出しするよう構成される。これらのテーブルは、テーブル発生器２９に渡される。
【００２４】
ＰＣＲが存在するストリームが選択２２に含まれない場合、デマルチプレクサ２１はこのストリーム２４を時間ストリーム発生器２５に送る。時間ストリーム発生器２５は、受信したストリーム２４内において、ＰＣＲ情報を有する全てのパケットを検出し、他のパケットを取り除く。時間ストリーム発生器２５は、その次に、新しいストリーム２６を発生する。ＰＣＲ情報は、各検出されたパケットからＰＣＲ情報を読出しし、新しいストリーム用の対応する新しいパケットを作成することによって新しいストリーム２６内に含まれ、新しいストリームにはこのＰＣＲ情報が含まれる。
【００２５】
新しいストリーム２６は、様々な方法によって送られ得る。１つの可能な方法は、新しいストリーム２６及び選択２２を、第２のマルチプレクス信号２７に組合わせるようＰＴＳ発生器２３を構成することである。この第２のマルチプレクス信号２７は、その次に送信され得る。
【００２６】
新しいパケットを作成することには、ＰＣＲ情報を複製することに追加して、パケットの残りの部分のスタッフィングも含まれる。ＭＥＰＧ２の場合、パケットは所定のサイズを有し、ＰＣＲ情報は、そのサイズのうちの小さい一部のみを使用する。これは２つの方法によって行われ得る。即ち、アダプテーションフィールド又はペイロード内で行われる。ペイロード内のスタッフィングデータは、幾つかの実施はスタッフィングデータを実際のペイロードとして解釈するという欠点を有する。
【００２７】
アダプテーションフィールドが充填されると、パケットは以下のフォーマットを有する。（表記法は、ＭＥＰＧ２規格から借用する）
【００２８】
【表１】
0004704651.tif 000002
上記の表において値が与えられていないフィールドは以下に詳細に説明する。
【００２９】
フィールド「ＰＩＤ」は、ＰＣＲが読出しされるパケットのプログラム識別子を含む。
【００３０】
フィールド「continuity_counter」に対しては、ＭＥＰＧ２規格に従って固定値が選択されるべきである。
【００３１】
ＰＣＲは、フィールド「program_clock_reference_base」及びフィールド「program_clock_reference_extension」内に格納される。時間ストリーム発生器２５は、各検出されたパケットからこれらのフィールドの値を読出しし、それらを対応する新しいパケットに複製する。
【００３２】
ＰＣＲを含むストリームは識別コード、プログラム識別子（ＰＩＤ）を有する。時間ストリーム発生器２５は、新しいエレメンタリストリーム２６に同じ識別コードを与えるよう構成されることが好適であり、それにより、テーブル発生器２９は、受信した情報セクション２８をＰＴＳ発生器２３に渡す前に、それらに適応又は変更を行う必要がなくなる。
【００３３】
パケットの残りの部分は、「stuffing_data」フィールドを含み、このフィールドにはスタッフィングデータが含まれる。このフィールドのコンテンツに対しては所定の値はない。可能な値は、‘０ｘＦＦ’である。
【図面の簡単な説明】
【図１】  本発明の伝送システムを示す図である。
【図２】  本発明の送信器を示す図である。
【図１】
0004704651.tif 000003
【図２】
0004704651.tif 000004